(57)【要約】【課題】電解生成酸性水の生成部または貯留部から延びる供給管路の先端部に連結する抽出管路を備え、抽出管路の抽出口部から電解生成酸性水を抽出する電解生成酸性水供給装置において、電解生成酸性水の抽出時の塩素ガスの飛散を防止または大幅に抑制する。【解決手段】供給管路１２における抽出管路１３の近接する部位に、供給管路１２の上流側および下流側間に連通して供給管路１２を迂回する通気管路２１を有するアスピレータ機構部２０を備え、アスピレータ機構部２０は通気管路２１を流通する気体中の塩素成分を捕捉する捕捉材（塩素成分除去器２２）を備えている。【選択図】    図２
2004290825.tif 000002
【特許請求の範囲】
【請求項１】
電解生成酸性水の生成部または貯留部と、これらの生成部または貯留部に連結する供給管路と、同供給管路の先端部に連結されて電解生成酸性水を抽出させる抽出管路を備える電解生成酸性水供給装置であり、前記供給管路における前記抽出管路の近接する部位に、同供給管路の上流側および下流側間に連通して同供給管路を迂回する通気管路を有するアスピレータ機構部を備え、同アスピレータ機構部は前記通気管路を流通する気体中の塩素成分を捕捉する捕捉材を備えていることを特徴とする電解生成酸性水供給装置。
【請求項２】
請求項１に記載の電解生成酸性水供給装置において、前記アスピレータ機構部の通気管路の下流側には、前記供給管路を流動する電解生成酸性水の流動作用にて回転して通気を助成する吸気車を備えていることを特徴とする電解生成水供給装置。
【請求項３】
請求項１または２に記載の電解生成酸性水供給装置において、前記供給管路における前記アスピレータ機構部の通気管路の上流側部が連結する部位には、同供給管路を流動する電解生成酸性水をシャワー状に噴出させるシャワーノズル部を備えていることを特徴とする電解生成酸性水供給装置。
【発明の詳細な説明】
【０００１】
【発明の属する技術分野】
本発明は、電解生成酸性水の利用者が必要時に、電解生成酸性水を抽出することができる電解生成酸性水供給装置に関する。
【０００２】
【従来の技術】
電解生成酸性水や電解生成アルカリ性水等の電解生成水は、多くの機能を有する機能水として利用されるもので、電解水生成装置の電解槽、または、電解生成水の貯留タンクに接続された供給管路を介して、抽出管路の抽出口部から抽出される。
【０００３】
このように電解生成水を抽出できる装置を電解生成水供給装置と称するが、電解生成水供給装置の一形式として、電解生成水の生成部または貯留部と、これらの生成部または貯留部に接続する供給管路と、同供給管路の先端部に接続されて電解生成水を抽出させる抽出管路を備える形式の電解生成水供給装置がある。
【０００４】
しかして、当該形式の電解生成水供給装置においては、当然のことながら、抽出管路の抽出口部が電解生成水を抽出すべき場所、電解生成水を利用すべき場所に開口している。このため、当該形式の電解生成水供給装置が電解生成酸性水供給装置である場合には、電解生成酸性水を抽出する際に、電解生成酸性水中の溶存している塩素成分がガス状（塩素ガス）として周囲に飛散して、軽度ではあるが、周囲の雰囲気を汚染することになる。
【０００５】
従って、当該形式の電解生成酸性水供給装置では、抽出口部から塩素ガスが周囲へ飛散するのを防止するための防止対策を施すことが望ましいが、このような防止対策は未だ提案されていない。但し、電解水製造装置においては、電解生成酸性水専用の流出管路を流動する電解生成酸性水から塩素成分を塩素ガスとして回収する回収機構を備えているものは認められる。
【０００６】
当該塩素ガス回収機構は、電解生成酸性水専用の流出管路の途中に設けた気液分離装置と、気液分離装置と電解槽に連結する送気管と、送気管の途中に介装された送気ポンプを備える構成のものである。当該塩素ガス回収機構においては、気液分離装置で分離された塩素ガスを電解槽の陰極側電解室に送り込み、陰極側電解室内に付着する塩基性析出物を中和して溶解させるべく機能する。これにより、陰極側電解室内の電極および隔膜が清浄化されて、電解効率が向上し、かつ、電極の寿命が向上する（特許文献１を参照）。
【０００７】
【特許文献１】
特開平７−１６３９８０号公報
【０００８】
【発明が解決しようとする課題】
従って、当該形式の電解生成酸性水供給装置に、上記した塩素ガス回収機構を採用すれば、塩素ガスが電解生成酸性水の抽出口部から周囲へ飛散するのを防止し得ることが推測できる。しかしながら、当該塩素ガス回収機構は、電解生成酸性水中から発生する塩素ガスを回収することを目的とすることから、当該形式の電解生成酸性水供給装置においては、塩素ガスの回収先が問題となる。当該形式の電解生成酸性水供給装置では、回収された塩素ガスは供給すべき電解生成酸性水に送り込んで、電解生成酸性水に溶解させることになる。
【０００９】
このため、このような回収手段を継続すると、供給すべき電解生成酸性水に、回収した塩素ガスの溶解に起因する塩素成分が累積し、電解生成酸性水の特性を変動させて特性を損なうことになり、設定された特性の電解生成酸性水を抽出することができなくなる。また、抽出すべき電解生成酸性水からの塩素ガスの発生が増大することにもなる。
【００１０】
敢えて、当該塩素ガス回収機構を当該形式の電解生成酸性水供給装置に採用することを考慮すると、当該形式の電解生成酸性水供給装置においては、電解生成酸性水を抽出する際の抽出口部からの塩素ガスの飛散を効果的に防止するには、気液分離装置を抽出管路に近接して配設する必要があり、これによって、塩素ガスを回収するための送気管の長さが長くなって、回収機構が大型化することになる。
【００１１】
また、当該形式の電解生成酸性水供給装置においては、送気管は気液分離装置と電解生成酸性水の貯留部または生成部に連通していて、気液分離装置で分離された塩素ガスは、送気管の途中に介装されている送気ポンプを駆動することによって、電解生成酸性水の貯留部または生成部に送り込まれることになる。このため、塩素ガスの送気の際には、送気ポンプ内には塩素ガスのみならず電解生成酸性水も流動することが考えられ、電解生成酸性水の送気ポンプ内への流動を阻止する対策や、電解生成酸性水の送気ポンプ内への流動に起因する問題の発生を規制する対策が必要となる。
【００１２】
以上のことから、当該形式の電解生成酸性水供給装置における塩素ガスの抽出口部からの飛散を防止する手段として、当該塩素ガス回収機構を適用することは、解決すべき問題が多くて好ましくはない。本発明の目的は、当該塩素ガス回収機構を塩素ガス飛散防止手段として適用する場合に発生する多くの問題がなくて、コンパクトな塩素ガス飛散防止手段を備える電解生成酸性水供給装置を提供することにある。
【００１３】
【課題を解決するための手段】
本発明は、電解生成酸性水供給装置に関する。本発明に係る電解生成酸性水供給装置は、電解生成酸性水の生成部または貯留部と、これらの生成部または貯留部に連結する供給管路と、同供給管路の先端部に連結されて電解生成酸性水を抽出させる抽出管路を備える電解生成酸性水供給装置である。
【００１４】
しかして、本発明に係る電解生成酸性水供給装置においては、前記供給管路における前記抽出管路の近接する部位に、同供給管路の上流側および下流側間に連通して同供給管路を迂回する通気管路を有するアスピレータ機構部を備え、同アスピレータ機構部は前記通気管路を流通する気体中の塩素成分を捕捉する捕捉材を備えることを特徴とするものである。
【００１５】
本発明に係る電解生成酸性水供給装置において、前記アスピレータ機構部の通気管路の下流側に、前記供給管路を流動する電解生成酸性水の流動作用にて回転して通気を助成する吸気車を備える構成とすることができる。
【００１６】
また、本発明に係る電解生成水供給装置においては、前記供給管路における前記アスピレータ機構部の通気管路の上流側部が連結する部位に、同供給管路を流動する電解生成酸性水をシャワー状に噴出させるシャワーノズル部を備える構成とすることができる。
【００１７】
【発明の作用・効果】
本発明に係る電解生成酸性水供給装置が有するアスピレータ機構部は、供給管路を流動する電解生成酸性水の流動作用によって作動するものである。すなわち、当該アスピレータ機構部においては、供給管路を流動する電解生成酸性水の流動作用によって、アスピレータ機構部を構成する通気管路に吸気負圧が発生して、通気管路における供給管路の下流側連結部から上流側連結部へ指向する気体の流れが発生する。
【００１８】
通気管路内に吸気負圧が発生すると、供給管路を流動する電解生成酸性水から塩素ガスが発生し、発生した塩素ガスは通気管路を流れる気体に乗って、通気管路における供給管路の上流側連結部へ指向される。気体と一体の塩素ガスは、通気管路を流動する間に吸着剤等の捕捉材を通過し、気体中の塩素成分は捕捉材に吸着等捕捉されて除去される。
【００１９】
従って、利用者が電解生成酸性水を抽出すべく抽出操作すると、電解生成酸性水は供給管路を流動してアスピレータ機構部を作動し、アスピレータ機構部は、電解生成酸性水から塩素ガスを発生させるとともに、発生した塩素ガス中の塩素成分を除去する。このため、電解生成酸性水は抽出する際には塩素ガスの発生を大幅に抑制された状態にあって、電解生成酸性水の抽出時における抽出管路の抽出口部からの塩素ガスの飛散が大幅に抑制または防止されることになる。
【００２０】
しかして、本発明で採用しているアスピレータ機構部は、供給管路の上流側および下流側間に連通して同供給管路を迂回する通気管路と、通気管路の途中に配置した塩素成分を捕捉する吸着剤等の捕捉材を備える構成のため、極めてコンパクトに構成することができる。
【００２１】
また、当該アスピレータ機構部は、発生する塩素ガスから塩素成分を除去するものであることから、供給するための電解生成酸性水に塩素成分が累積することがなくて、抽出される電解生成酸性水の特性を設定された特性に保持することができる。
【００２２】
また、当該アスピレータ機構部は、供給管路を流動する電解生成酸性水の流動作用によって、通気管路内に吸気負圧を発生させるように構成している。このため、当該アスピレータ機構部においては、送気作動源としての送気ポンプが不要であって、送気ポンプを採用することに起因する問題の発生を解消することができる。
【００２３】
本発明に係る電解生成酸性水供給装置において、前記アスピレータ機構部を、前記通気管路の下流側に、前記供給管路を流動する電解生成酸性水の流動作用にて回転して通気を助成する吸気車を備えている構成とすれば、電解生成酸性水の流動作用にて回転駆動する吸気車の吸気作用にて、通気管路内を一層高い負圧にして塩素ガスの発生を一層助成することができる。このため、抽出される電解生成酸性水から塩素ガス発生源を効率よく除去することができる。
【００２４】
また、本発明に係る電解生成水供給装置において、前記アスピレータ機構部を、前記供給管路における通気管路の上流側部が連結する部位に、同供給管路を流動する電解生成酸性水をシャワー状に噴出させるシャワーノズル部を備える構成とすれば、当該シャワーノズル部において塩素ガスの発生を助成し、抽出される電解生成酸性水からの塩素ガス発生源を効率よく除去することができる。
【００２５】
【発明の実施の形態】
本発明は、電解生成酸性水の利用者に電解生成酸性水を、抽出管路の抽出口部から抽出して提供することができる電解生成酸性水供給装置に関する。図１には、本発明の一実施形態に係る電解生成酸性水供給装置が概略的に示している。当該電解生成酸性水供給装置は、電解生成酸性水の供給部である電解水生成装置の電解槽１０ａと、電解生成酸性水の貯留タンク１０ｂと、電解生成酸性水の供給機構部１０ｃを備えているもので、当該供給機構部１０ｃに、本発明の主要部をなすアスピレータ機構部２０を配設している。
【００２６】
当該電解生成酸性水供給装置においては、電解槽１０ａの陽極側電解室の下流側の流出管路１１が貯留タンク１０ｂに連結していて、電解槽１０ａの陽極側電解室で生成される電解生成酸性水が流出管路１１を通して貯留タンク１０ｂ内に供給できるようになっている。これにより、貯留タンク１０ｂは、供給された電解生成酸性水を一旦貯留する。
【００２７】
電解生成酸性水の供給機構部１０ｃは、貯留タンク１０ｂに連結する供給管路１２と、供給管路１２の先端部に連結された抽出管路１３と、供給管路１２の途中に介装された送水ポンプ１４を備えている。抽出管路１３の供給管路１２との連結部位の近傍には、抽出コック１５が配設されていて、抽出管路１３の先端が抽出口部になっている。抽出管路１３の抽出口部は、利用者Ｍが電解生成酸性水を抽出する場所にて開口している。
【００２８】
当該電解生成酸性水供給装置においては、利用者Ｍが抽出コック１５を開放操作すると、送水ポンプ１４が駆動して貯留タンク１０ｂ内の電解生成酸性水が供給管路１２を通して抽出管路１３に供給され、抽出コック１５を通して、抽出管路１３の抽出口部から抽出される。また、利用者Ｍは、電解生成酸性水の抽出を停止するべく抽出コック１５を閉鎖操作すると、送水ポンプ１４の駆動が停止して、抽出コック１５を通しての抽出管路１３の抽出口部からの電解生成酸性水の抽出は停止される。
【００２９】
しかして、当該電解生成酸性水供給装置においては、供給管路１２における抽出管路１３の連結部位の近傍にアスピレータ機構部２０が配設されている。当該アスピレータ機構部２０は、図２に示すように、通気管路２１と、通気管路２１の途中に介装した塩素成分除去器２２とを必須構成部品として備えている。本実施形態では、上記した通気管路２１および塩素成分除去器２２の他に、図３（ａ）に示す吸引車２３、および、同図（ｂ）に示すように、シャワーノズル部２４を備えている。
【００３０】
当該アスピレータ機構部２０を構成する通気管路２１は、上流側管路２１ａと下流側管路２１ｂとからなる。上流側管路２１ａは、その一端が供給管路１２におけるシャワーノズル部２４の形成部位に連結されていて、その他端が塩素成分除去器２２の流入口に連結されている。また、下流側管路２１ｂは、その一端が供給管路１２におけるシャワーノズル部２４より上流側部位に連結されていて、その他端が塩素成分除去器２２の流出口に連結されている。
【００３１】
これにより、上流側管路２１ａと下流側管路２１ｂとは、供給管路１２の一部を迂回する通気管路２１を構成し、塩素成分除去器２２を通気管路２１の途中に位置させている。当該通気管路２１においては、その内部に、供給管路１２を流動する電解生成酸性水の流動作用によって負圧が発生して、上流側管路２１ａの端部から下流側管路２１ｂの端部に至る気体の流れが発生する。換言すれば、当該アスピレータ機構部２０は、供給管路１２を流動する電解生成酸性水の流動作用によって、通気管路２１内でアスピレータ機能を発揮する。
【００３２】
当該アスピレータ機構部２０によるアスピレータ機能により、供給管路１２を流動する電解生成酸性水から塩素ガスが発生し、発生した塩素ガスは通気管路２１に導入されて気体とともに塩素成分除去器２２を通過する。この間、塩素ガス中の塩素成分は、塩素成分除去器２２に収納されている活性炭等の吸着剤に吸着されて捕捉され、塩素成分を含有しないガスとなって、供給管路１２を流動する電解生成酸性水中に導入される。
【００３３】
従って、利用者Ｍが電解生成酸性水を抽出すべく抽出操作すると、電解生成酸性水は供給管路１２を流動してアスピレータ機構部２０を作動し、アスピレータ機構部２０は、電解生成酸性水から塩素ガスを発生させるとともに、発生した塩素ガス中の塩素成分を除去する。このため、抽出する際の電解生成酸性水には塩素ガス発生源が大幅に低減されていて、電解生成酸性水の抽出時における抽出管路の抽出口部からの塩素ガスの飛散が大幅に抑制または防止されることになる。
【００３４】
しかして、当該アスピレータ機構部２０は、供給管路１２の上流側および下流側間に連通して供給管路１２を迂回する通気管路２１と、通気管路２１の途中に配置した塩素成分除去器２２を備える構成のため、極めてコンパクトに構成することができる。
【００３５】
また、当該アスピレータ機構部２０は、発生する塩素ガスから塩素成分を除去するものであることから、供給するための電解生成酸性水に塩素成分が累積することがなくて、抽出される電解生成酸性水の特性を設定された特性に保持することができる。
【００３６】
また、当該アスピレータ機構部２０は、供給管路１２を流動する電解生成酸性水の流動作用によって、通気管路２１内に吸気負圧を発生させるように構成している。このため、当該アスピレータ機構部２０においては、送気作動源としての送気ポンプが不要であって、送気ポンプを採用することに起因する問題の発生を解消することができる。
【００３７】
本発明に係る電解生成酸性水供給装置が有する当該アスピレータ機構部２０は、以上の構成を基本構成とするものであるが、図３（ａ）に示すように、通気管路２１における下流側管路２１ｂの先端部位に吸引車２３を備えている。吸引車２３は、その一部が供給管路１２に臨んでいて、供給管路１２を流動する電解生成酸性水の流動作用によって回転駆動し、通気管路２１内の気体を吸引して通気管路２１内の負圧を一層高めて、供給管路１２を流動する電解生成酸性水からの塩素ガスの発生を助成する。このため、抽出される電解生成酸性水からの塩素ガス発生源を効率よく除去することができる。
【００３８】
当該アスピレータ機構部２０においては、図３（ｂ）に示すように、上流側管路部２１ａの連結部位にシャワーノズル部２４を備えている。当該シャワーノズル部２４は、供給管路１２の途中を構成する大径管路部１２ａ内に形成されているもので、大径管路部１２ａの上端壁部１２ｂに設けたシャワーノズル１２ｃにて構成されている。なお、大径管路部１２ａにおける上端壁部１２ｂの側端部には、通気管路２１の上流側管路２１ａが連結されている。
【００３９】
当該シャワーノズル部２４においては、供給管路１２を流動する電解生成酸性水がシャワーノズル１２ｃからシャワー状に噴出して大径管路部１２ａの底部に滞留することになり、この際、電解生成酸性水からの塩素ガスの発生を助成する。このため、抽出される電解生成酸性水からの塩素ガス発生源を効率よく除去することができる。
【図面の簡単な説明】
【図１】本発明の一実施形態に係る電解生成酸性水供給装置の概略構成図である。
【図２】同電解生成酸性水供給装置に配設した状態のアスピレータ機構部の側面図である。
【図３】同アスピレータ機構部における下流側部位の内部構成図（ａ）、および、同アスピレータ機構部における上流側部位の内部構成図（ｂ）である。
【符号の説明】
１０ａ…電解槽、１０ｂ…貯留タンク、１０ｃ…供給機構部、１１…流出管路、１２…供給管路、１２ａ…大径管路部、１２ｂ…上端壁部、１２ｃ…シャワーノズル、１３…抽出管路、１４…送水ポンプ、１５…抽出コック、２０…アスピレータ機構部、２１…通気管路、２１ａ…上流側管路、２１ｂ…下流側管路、２２…塩素成分除去器、２３…吸引車、２４…シャワーノズル。
【図１】
2004290825.tif 000003
【図２】
2004290825.tif 000004
【図３】
2004290825.tif 000005